(57)【要約】      （修正有）【課題】無端状ワイヤーソーの装着が可能で、旋回部分にはベアリングを使用することなくプーリの円滑な旋回が得られるようにした、無端状ワイヤーソー用のプーリ取付け具を提供する。【解決手段】外筒１と内筒２及び上下の固定板３とからなり、金属製の外筒１の中空部に金属性の内筒２が挿入してあり、両者は相対的に回転可能とし、内筒２が上下の固定板３に固定してある。外筒１と内筒２の接触面には潤滑油含浸金属製のライニング１２、２２が設けてありベアリングなしでも円滑回転する。すべてのスリット１１、２１、３１が一致すると無端状ワイヤーソーを固定板３の穴３２に通すことができる。外筒１にはプーリＰを取り付けるためのヨーク４が固定してあり、外筒１の回転によってワイヤーソーの走行方向を変更することができる。【選択図】図１
0003185298.tif 000002
【実用新案登録請求の範囲】
【請求項１】
無端状ワイヤーソー用のプーリ取付け具であって、スリットを有する上下の固定板のスリットに連通する穴に内筒が設けてあり、内筒の外側に外筒が回転可能に設けてあり、内筒及び外筒は無端状ワイヤーソーを通すためのスリットが上下方向全長に渡って設けてあり、内筒と外筒の接触面には潤滑油含浸金属製のライニングが形成してあり、外筒にプーリを回転可能に装着するヨークが設けてある無端状ワイヤーソー用のプーリ取付け具。
【請求項２】
請求項１において、外筒に二つのヨークを設けてある無端状ワイヤーソー用のプーリ取付け具。
【請求項３】
請求項１または２において、固定板の穴の周囲にブラシが設けてある無端状ワイヤーソー用のプーリ取付け具。
【考案の詳細な説明】
【技術分野】
【０００１】
本考案は、コンクリート構造物や橋梁の伸縮継手を切断撤去するワイヤーソー工法において使用するワイヤーソーの走行をガイドするプーリを旋回可能とするプーリ取付け具に関する。
【背景技術】
【０００２】
ワイヤーソー切断工法は、ワイヤーソーを切断対象に巻きまわし、駆動装置でワイヤーソーを走行させて切断するものであり、騒音を発生することなく、また、切断対象の形状を選ばずに適用することができる。構造物の表面の一部を剥ぎ取るように切断することも可能であって、切断部分を包囲する溝を表面に形成して切断撤去するものである。
切断にあたっては、ワイヤーソーを切断対象に巻きつけて周回させて配設するため、切断対象物の表面の一部を切断撤去する場合は、表面に切断領域を確定する溝を形成し、この溝の中にワイヤーソーを配設して走行させるため、ワイヤーソー駆動装置から繰り出されるワイヤーソーを溝内に導き、ワイヤーソーの走行方向を溝が延びる方向に転換する必要がある。そのため、適宜の位置にワイヤーソーの走行方向を変換するプーリを設置している。
【０００３】
橋梁や高架橋の伸縮継手の周囲に溝を形成して水平切断する工法においては、伸縮継手を囲む溝を形成し、溝の中にワイヤーソーを配設して走行させ、床版と伸縮継手を水平に切断する場合、切断が進行するに従ってワイヤーソーの走行方向とプーリのガイド方向にずれが生じてワイヤーソーがプーリから外れたり、破断されてしまう場合があるのに対処するため、ワイヤーソーの走行方向の変更にプーリが自動的に追随できるようにするとともに、ワイヤーソーの配設を簡単にできるようにするため特許文献１にあるように、支持棒に対してキャスター式に旋回可能に取り付けたプーリが提案されている。
【先行技術文献】
【特許文献】
【０００４】
【特許文献１】実用新案登録第３１４１００５号公報
【特許文献２】特開２００８−２８５８０９号公報
【考案の開示】
【考案が解決しようとする課題】
【０００５】
ワイヤーソーは、ワイヤーソー駆動装置の駆動プーリに巻き回し、そこから引き出して切断対象物に巻きかけ、始端と終端を連結具である圧着スリーブに両端を挿入してかしめて連結して無端状とし、ワイヤーソー駆動装置を駆動させてワイヤーソーを走行させるものである。圧着スリーブは現場でおこなうものであるが、かしめには熟練を要し、作業員の熟練度によって圧着の良し悪しが生ずるため、圧着が十分でないとワイヤーソーの走行中に圧着スリーブが脱落して連結がはずれて飛散し、作業員にあたって深刻な人身事故となる可能性がある。圧着スリーブの飛散速度は２００ＫＭ以上に達するものであり、重大事故も発生しており、改善が望まれている。
そのため飛散物が走行路から飛び出さないようしたり、高性能安全ネットを設置するなどの事故防止策が必要となり、コスト上昇につながっていた。
【０００６】
また、ワイヤーソーの冷却に水を使用しない乾式切断においては、切断作業４０〜５０分毎にスリーブを安全のために交換し、また、冷却水を使用する湿式の場合は、１〜１．５時間で圧着スリーブの交換をおこなっており、標準的な二車線の都市高速道路の高架橋の伸縮継手の１レーン分の切断撤去においては、６〜８回の圧着スリーブの交換作業が必要となり、熟練工であっても一度の交換に５〜８分を要し、交換のためのワイヤーソー駆動装置の停止から再稼動までの作業停止時間を加えると、交換１回について約１０分のロスとなるので、圧着スリーブの交換を省略することによって１レーンあたり６０分から８０分の作業短縮が可能となり、全体工程８時間〜９時間の施工時間が７時間以内での施工が可能となり、経済的効果及び、都市高速道路などの交通規制時間短縮が可能となり交通渋滞緩和にも寄与する。
【０００７】
工場で無端状に製造したワイヤーソー（以下、単に無端状ワイヤーソーという）は、現場において圧着スリーブで両端を連結したものと異なり、連結部は母材と同等の強度を有するものである。従って、現場で連結したものと異なり、圧着スリーブの交換が不要となるので大幅な施工時間の短縮が達成でき、伸縮継手の交換工事のための通行止めの時間を短縮できる。
無端状のワイヤーソーの走行方向変換するプーリを特許文献４に示されるような旋回型のプーリを使用する場合は、圧着スリーブで連結して無端状とする前に棒体の中空部にワイヤーソーを通し、その後に圧着スリーブで連結しなければならず、無端状ワイヤーソーを使用することは不可能であった。
【０００８】
そのため、支持軸にワイヤーソーを通すためのスリットを形成し、更に、支持棒の下端にスリットを形成した従来のプーリは、旋回型プーリを目的として開発されたものでなく無端状ワイヤーソーを使用するためだけのプーリであり、確実に施工時間を短縮にすることにつながらなかった。
本考案は、無端状ワイヤーソーの装着が可能でありながら、旋回部分にはベアリングを使用することなくプーリの円滑な旋回が得られるようにするものである。
【課題を解決するための手段】
【０００９】
無端状ワイヤーソー用のプーリ取付け具であって、スリットを有する上下の固定板のスリットに連通する穴に内筒が設けてあり、内筒の外側に外筒が回転可能に設けてあり、内筒及び外筒は無端状ワイヤーソーを通すためのスリットが上下方向全長に渡って設けてあり、内筒と外筒の接触面には潤滑油含浸金属製のライニングが形成してあり、外筒にプーリを回転可能に装着するヨークが設けてある無端状ワイヤーソー用のプーリ取付け具である。
【考案の効果】
【００１０】
プーリを旋回させるためのスリットを設けた内筒と外筒の接触面に潤滑油含浸金属材料のライニングを設けたので円滑にプーリを旋回させることができ、また、耐久性が向上した。
また、ベアリングを使用する場合と異なり給脂等のメンテナンスを必要とせず、強度も確保しメンテナンスコストを低減することができる。
本考案のプーリ固定具を使用したワイヤーソーを使用した伸縮継手の水平切断工事においては、圧着スリーブの交換の必要がなくなるので、施工時間の短縮が達成でき、施工効率を格段に向上させることができるので、都市高速道の高架橋の伸縮継手の交換における切断撤去工事おいては、通行止めの時間を短縮できる。従って、交通流の円滑な流れの遮断による物流の滞留による経済損失を減少させることができる。
【図面の簡単な説明】
【００１１】
【図１】本考案のプーリ取付け具の平面図。
【図２】本考案のプーリ取付け具の正面図。
【図３】本考案の二つのプーリを取り付け可能とした取付け具の平面図。
【図４】従来のワイヤーソー用のプーリの一例の正面図。
【考案を実施するための最良の形態】
【００１２】
図１及び図２に示すように、外筒１と内筒２及び上下の固定板３とからなり、金属製の外筒１の中空部に金属性の内筒２が挿入してあり、両者は相対的に回転可能である。外筒１と内筒２の接触面には潤滑油含浸金属製の厚さ３〜９ｍｍのライニング１２、２２が設けてあり、外筒１が内筒２に対して円滑に回転することができるようにしてある。
固定板３の穴３２の近傍に集塵ノズル(図示しない)を取り付けることによって、乾式切断の場合は集塵ノズルによって吸引することによって切削粉を吸引回収することができ、また、吸引によって冷気が内筒２の内部に取り込まれることから、ワイヤーソーの冷却が促進される。穴３２の周囲にブラシ（図示しない）を設けると、切削分の飛散を防止することができる。ブラシがスリットの位置に設けてあっても、ワイヤーソーを内筒２の内部に通すのに支障はない。
固定板３には無端状ワイヤーソーを通すためのスリット３１が形成してあり、スリット３１は、内筒２を取り付ける穴３２に通じており、この穴３２に内筒２が嵌め込んであり、溶接等で固定してある。内筒２は、固定板３のスリット３１と同じ位置に上下方向の全長に渡ってスリット２１が形成してある。外筒１は、下の固定板３に支持されており、内筒２に対しては３６０度回転可能である。そして、外筒１には、内筒２のスリット２１と同じ幅のスリット１１が上下方向の全長に渡って形成してあり、すべてのスリット１１、２１、３１の位置が図１（２）に示すように一致すると、これらのスリットを通して無端状ワイヤーソーを固定板３の穴３２に通すことができる。
【００１３】
外筒１には、ヨーク４が取り外し自在に固定してあり、ヨーク４の先端にはプーリＰを回転自在に支持する回転軸４１が設けてある。
固定板３のスリット３１の反対側には開口３３が形成してあり、固定用の棒体を挿入する保持具３４が設けてあり、この保持具３４に角棒などを挿入してねじで固定して使用する。
【００１４】
プーリＰは、回転しながらワイヤーソーの走行をガイドするものであり、プーリＰはヨーク４に設けた回転軸４１を軸として回転する。この図示の例は、ヨーク４から回転軸４１が片持ちで突出させてあり、この回転軸４１にプーリＰを差込み、ボルトで固定してある。ヨーク４を２枚としてその間に回転軸を設けてもよいが、回転軸４１を片持ちとしたほうがプーリＰの回転軸４１への脱着が容易である。
図３に示す例は、外筒１に二つのヨーク４を設けたものであり、図示の例は１８０度の角度で設けたものであり、ワイヤーソーの走行方向を大きく変更しなければならない場合でも、外筒１を大きく回転させることなくワイヤーソーを架け替えるだけで走行方向の変更が可能である。
【符号の説明】
【００１５】
１    外筒
１１  スリット
１２  ライニング
２    内筒
２１  スリット
２２  ライニング
３    固定板
３１  スリット
３２  穴
４    ヨーク
４１  回転軸
Ｐ    プーリ
【図１】
0003185298.tif 000003
【図２】
0003185298.tif 000004
【図３】
0003185298.tif 000005
【図４】
0003185298.tif 000006